(57)【要約】      （修正有）【課題】紫外線ランプ（ブラックライト）で紫外線を照射した時にジグソーパズルの画面が変化し、顧客ひとりひとりに対してオリジナルな表現が可能となるジグソーパズルを提供する。【解決手段】紙製もしくはアクリル製、プラスティック製で出来ている台紙０１に、紫外線０５に反応する特殊印刷紙０２もしくは特殊フィルムを貼り付け、ジグソーパズル製造専用機もしくはレーザーカットを行い、ジグソーパズルを製造する。【選択図】図１
0003218457.tif 000002
【実用新案登録請求の範囲】
【請求項１】
ジグソーパズルの表面紙に、紫外線に反応する特殊印刷を使用したブラックライトジグソーパズル。
【請求項２】
請求項１を特徴とし、顧客ひとりひとりに対応できるオリジナルブラックライトジグソーパズル。
【請求項３】
請求項１を特徴とし、材質を紙から紫外線を透過する２枚のアクリル板に、紫外線に反応する特殊紙を特殊フィルムに変更し２枚のアクリル板で特殊フィルムを挟み込み、レーザーカットで製作したアクリル板のブラックライトジグソーパズル。
【請求項４】
請求項３を特徴とし、材質にプラスティック板を使用する事により、レーザーカットのみならず、ジグソーパズル製造専用機での製作を可能とするブラックライトジグソーパズル
【考案の詳細な説明】
【技術分野】
【０００１】
本考案は、紫外線に反応する印刷技術を利用し、可視光下においては何も見えない真っ白なジグソーパズルであるが、紫外線を照射することにより画像が浮き出てくるなど、特殊表現を演出するために開発されたジグソーパズルである。
【背景技術】
【０００２】
印刷物に特殊印刷を施し、紫外線を当てたときに画像を浮き上がらせたりすることができる、顧客ひとりひとりに対するオリジナルなジグソーパズルは存在しない。
【先行技術文献】
【特許文献】
【０００３】
【特許文献１】実用新案第3216700号公報
【考案の概要】
【考案が解決しようとする課題】
【０００４】
本考案は、対象ジグソーパズル（図１、符号０１、０２）に紫外線を照射しない状況すなわち可視光が照射されている状況から（図１、符号０４）対象ジグソーパズルに紫外線ランプ（ブラックライト）で紫外線を照射した時に（図１、符号０５、０６）、対象ジグソーパズルの画面が変化するジグソーパズルを提供することを課題とする。
【課題を解決するための手段】
【０００５】
本考案は、提供されたデジタルデータをもとに、紫外線に反応する特殊印刷紙ならびに特殊インクを利用し印刷された印刷紙を、ジグソーパズルの台紙に貼り付け、ブラックライトジグソーパズルの台紙を用意する。ブラックライトジグソーパズル台紙をジグソーパズル製造専用機でカットすることにより、紫外線を照射することにより多様な表現が可能になる、ブラックライトジグソーパズルを提供することができる。
【考案の効果】
【０００６】
いままで、紫外線に反応する特殊紙を利用したオリジナルジグソーパズルは存在しなかったが、この考案によりさまざまなサプライズな表現が可能になり、オリジナルジグソーパズルがサプライズ商品としての幅を広げ、ギフト商品としての需要を喚起することができる。
【図面の簡単な説明】
【０００７】
【図１】可視光下および紫外線照射した時の比較図
【図２】紫外線に反応する特殊印刷紙
【図３】特殊印刷を行う専用印刷機
【図４】特殊印刷紙とジグソーパズル台紙との合紙作業
【図５】特殊印刷紙を貼り付けたジグソーパズル台紙
【図６】ジグソーパズル製造専用機
【図７】真っ白なブラックライトジグソーパズル
【図８】紫外線ランプ（ブラックライト）
【考案を実施するための形態】
【０００８】
ジグソーパズルにしようとするデジタル画像と、紫外線に反応する特殊紙（図２）を用意する。特殊紙を専用の印刷機（図３）にセットし印刷を施す。
【０００９】
印刷を施された特殊紙を、ジグソーパズルの台紙に貼り合わせる(図４）。この時の注意点として、印刷された特殊紙が手垢などで汚れないようにする。その理由は、汚れた部分が紫外線に反応し上手く表現できなくなるからである。
【００１０】
特殊印刷紙を貼り付けたジグソーパズル台紙(図５）を、ジグソーパズル製造専用機(図６）においてカットを行う。カットが完了したら、ブラックライトジグソーパズル（図７）の完成である。
【００１１】
完成した真っ白なブラックライトジグソーパズル（図７）に、紫外線ランプ（ブラックライト）(図８）で紫外線を照射すると、紫外線に反応する特殊インクが載った部分が発光して、画像として表現される。
【００１２】
また、このような方法も考えられる。最初に可視光で見ることができる画像を印刷し、印刷された特殊紙を、再度紫外線照射に反応する特殊インクで印刷することにより、特殊効果を生み出すことができる。例として、可視光では昼間の町並みが見えるが、紫外線ランプ（ブラックライト）で紫外線を照射することにより、夜景の町並みを表現したるすることができる。
【００１３】
材質は通常紙のジグソーパズル台紙を使用するが、紙をアクリル板に変更、印刷紙を印刷フィルムに変更することも可能である。
【実施例】
【００１４】
通常は、真っ白なホワイトパズルであるが、紫外線を照射することにより、ホワイトパズル上に画像を浮き上がらせる事ができる。
【００１５】
可視光下においては、通常の町並みなどの画像であるが、紫外線を照射することにより、ライトアップされた町並みの画像を浮き上がらせる事ができる。また、何も無い夜の画像に、紫外線を照射することにより花火の画像を浮き上がらせたりする事ができる。
【００１６】
前述した実施例は、飲食店やホテルなどでの利用が考えられる。
【００１７】
紫外線をカットしないアクリル板２枚の間に、紫外線に反応する特殊印刷を施された透明シートを挟み込み、レーザーカットすることにより、紫外線に反応するアクリル板ブラックライトジグソーパズルを提供することができる。
【００１８】
暗い空間迷路で、謎解きを施されたブラックライトジグソーパズルを持ち歩きながら、謎解きゲームに使用するアイティムとして利用する。
【００１９】
認知症の診断用として利用する。実施例としては、ホワイトパズル状態のジグソーパズルに紫外線を照射し、そのときに浮き出てきた画像を覚えてもらい、再度ホワイトパズルを見せることにより、浮き出てきた画像を答えさせることにより認知度を測定する。
【符号の説明】
【００２０】
01  ブラックライトジグソーパズル台紙
02  特殊印刷紙
03  紫外線に反応した画像
04  可視光
05  紫外線
06  紫外線ランプ（ブラックライト）
【図１】
0003218457.tif 000003
【図２】
0003218457.tif 000004
【図３】
0003218457.tif 000005
【図４】
0003218457.tif 000006
【図５】
0003218457.tif 000007
【図６】
0003218457.tif 000008
【図７】
0003218457.tif 000009
【図８】
0003218457.tif 000010
【手続補正書】
【提出日】平成30年8月7日(2018.8.7)
【手続補正１】
【補正対象書類名】実用新案登録請求の範囲
【補正対象項目名】全文
【補正方法】変更
【補正の内容】
【実用新案登録請求の範囲】
【請求項１】
ジグソーパズルの表面紙に、紫外線に反応する特殊印刷を使用したブラックライトジグソーパズル。
【請求項２】
請求項１に記載のブラックライトジグソーパズルであって、顧客ひとりひとりから預かった画像で製作するオリジナルジグソーパズル。
【請求項３】
請求項１に記載のブラックライトジグソーパズルであって、材質を紙から紫外線を透過する２枚のアクリル板に、紫外線に反応する特殊紙              を特殊フィルムに変更し２枚のアクリル板で特殊フィルムを挟み込み、レーザーカットで製作したアクリル板のオリジナルジグソーパズル。          
【請求項４】
請求項３に記載のブラックライトジグソーパズルであって、材質にプラスティック板を使用する事により、レーザーカットのみならず、ジグソーパズル製造専用機での製作を可能とするオリジナルジグソーパズル。